(57)【要約】      （修正有）【課題】水泳や入浴などによって耳の中に入りぼうっとする状態で残っている水を迅速かつ効果的に容易に取り除くことができ、さらに耳の中に傷をつけることなく何の不便もなく安全に水気を取り除くことができるようにした耳中水気除去棒を提供する。【解決手段】適正な強度を有するつまみ部１１とその先端が柔軟で柔らかい先端部１２とを備える長い円錐形の耳中水気除去棒１０である。前記除去棒１０は、水分吸収力が非常に優れたティッシュ（化粧紙）または圧縮綿や圧縮パルプによって作る。【選択図】図４
0003109074.tif 000002
【実用新案登録請求の範囲】
【請求項１】
適正な強度を有するつまみ部とその先端が柔軟で柔らかい先端部とを一体に備える、水分の吸収力に優れた材質の長い円錐形から構成されたことを特徴とする耳中水気除去棒。
【請求項２】
前記除去棒は、扇形のティッシュを巻回してなることを特徴とする請求項１に記載の耳中水気除去棒。
【請求項３】
前記ティッシュの先端部分には除去棒がほどけないように接着剤が塗布されることを特徴とする請求項２に記載の耳中水気除去棒。
【請求項４】
前記除去棒は、圧縮綿または圧縮パルプからなることを特徴とする請求項１に記載の耳中水気除去棒。
【請求項５】
吸水性を有する材料からなる円錐形の耳中水気除去棒であって、
前記円錐の母線の長さは５ｃｍ〜８ｃｍであり、
前記円錐の底面の直径は０．１ｃｍ〜０．５ｃｍであることを特徴とする耳中水気除去棒。
【請求項６】
前記吸水性を有する材料が圧縮綿または圧縮パルプである、請求項５に記載の耳中水気除去棒。
【請求項７】
前記吸水性を有する材料がティッシュであり、
前記除去棒は、扇形のティッシュを巻回してなる、請求項５に記載の耳中水気除去棒。
【考案の詳細な説明】
【技術分野】
【０００１】
本考案は、水泳や入浴などによって耳の中に入り鼓膜外部に残ってぼうっとする聴覚障害を起こす水を、何の苦痛もなく迅速かつ効果的に取り除くことができるようにした耳中水気除去棒に関する。
【背景技術】
【０００２】
一般的に水泳や入浴などをする際は、注意をしていてもたびたび耳の中に水が入って来る。このように耳の中に入って来た水は、速かに除去しなければ、中耳炎などの各種疾病及び不快感を誘発するようになる。
【０００３】
一般的には、綿棒を利用して耳の中に入って来た水を吸収して乾燥させる。しかし、この場合、水のある部位まで綿棒を効果的に挿入することは難しく、無理やりに挿入しようとすると苦痛が伴うという問題も発生した。
【考案の開示】
【考案が解決しようとする課題】
【０００４】
本考案の目的は、上記のような従来の欠点を解消するために案出されたものであり、水泳や入浴などによって耳の中に入りぼうっとする状態で残っている水を、迅速かつ効果的に容易に取り除くことができ、さらに耳の中に傷をつけることなく何の不便もなく安全に水気を取り除くことができるようにした耳中水気除去棒を提供することにある。
【課題を解決するための手段】
【０００５】
上記のような目的を達成するための本考案は、適正な強度を有するつまみ部とその先端が柔軟で柔らかい先端部とが備えられる、長い円錐形から耳中水気除去棒を構成しているが、前記除去棒を水分吸収力が非常に優れたティッシュ（化粧紙）または圧縮綿や圧縮パルプによって作ったものである。
【考案の効果】
【０００６】
本考案により、水泳や入浴などによって耳の中に入り鼓膜外部に残っている水を迅速かつ効果的に取り除くことができ、耳の中に傷をつけずに何の痛みもなく安全に水気を取り除くことができ、さらにこれを通じて水分によって発生する中耳炎などの各種疾病を未然に予防することができる非常に有用な考案である。
【考案を実施するための最良の形態】
【０００７】
以下、本考案の技術的構成を添付図によって詳述する。
【実施例】
【０００８】
本考案の耳中水気除去棒１０は、図１ないし図４に示されるように、適正な強度を有するつまみ部１１と、その先端が柔軟で柔らかい先端部１２とを一体に備え、つまみ部１１から先端部１２へ行くほど強度がだんだん弱くなりながら柔らかくなる、水分の吸収力に優れた材質の長い円錐形から構成されたことをその技術的構成上の基本的な特徴とする。
【０００９】
ここで、除去棒１０は一端から他端の先端に行くほどその直径が徐々に小さくなる長い円錐形から形成されるものであって、このような除去棒１０の一側では適正な強度を有するつまみ部１１が備えられ、除去棒ｌ０の他端ではその先端が柔軟で非常に柔らかい先端部１２が備えられる。この時、除去棒１０は上述するように水分吸収力が非常に優れた材質からなる。
【００１０】
本考案の一実施例によれば、図１と図２に示されるように、除去棒１０は扇形のティッシュ１００を巻回してなることを特徴とする。この時、図２に示すように、ティッシュｌ００の扇形中心角（θ）は９０゜に形成することが好ましい。なお、ティッシュ１００の扇形の半径は５ｃｍ〜８ｃｍであることが好ましい。言い換えれば、この扇形のティッシュ１００を巻回してなる円錐形の除去棒１０において、当該円錐の母線の長さは、５ｃｍ〜８ｃｍであることが好ましい。また、除去棒１０の円錐の底面の直径は、０．１ｃｍ〜０．５ｃｍであることが好ましい。
【００１１】
そして、必要によっては、図２のようにティッシュ１００の先端部分には除去棒ｌ０がほどけないように接着剤２００が塗布される。このようにティッシュ１００に接着剤２００が塗布された状態で長い円錐形に巻回されれば、除去棒１０はほどけない。
【００１２】
本考案の他の実施例によれば、図３に示されるように、除去棒１０は水気の吸収機能が強い圧縮綿や圧縮パルプからなることを特徴とする。
【００１３】
図４中の参照符号１は、耳の中の外耳道を表わしたものであり、２は耳の中の鼓膜を表わしたものである。
【００１４】
次に、このように構成された本考案の除去棒１０を使用して耳の中に入って来た水を取り除く過程を説明する。
【００１５】
水泳や入浴などによって耳の中に水が入って来た場合、本考案の除去棒１０のつまみ部１１を手で握った状態で、図４のように除去棒１０の先端部１２を耳の中に入れて、水がある位置まで徐々に挿入させれば、除去棒１０の先端部１２が耳の中に入り水に触れながら、鼓膜２の付近に残留した水分を毛細管現象によって速かに吸収して取り除くようになる。この時、除去棒１０で耳の中の水を吸収して取り除くためにかかる時間は、約１０秒程度である。
【００１６】
このような除去棒１０を使用して耳の中の水を取り除く時、除去棒１０の先端部１２が非常に柔軟で柔らかいため、挿入される過程で除去棒１０は外耳道１の形態によって共に屈曲しながら容易に挿入され、さらに除去棒１０のつまみ部１１に行くほど適正な強度を有するため、除去棒１０を耳の中に容易に挿入することができる。
【００１７】
そして、本考案の除去棒１０を耳の中に挿入して耳の中の水を吸収して取り除く過程で、除去棒１０の先端部１２が、耳の中の外耳道１または鼓膜２に直接接触しても、上述するように先端部１２は非常に柔軟で柔らかいため何の痛みも伴わない。
【００１８】
よって、このような本考案は、ティッシュまたは圧縮綿や圧縮パルプからなる長い円錐形の除去棒１０を使用して、水泳や入浴などによって耳の中に入り鼓膜２の外側に残留してぼうっとする聴覚障害をもたらす水を、使用者がより迅速かつ効果的に容易に取り除くことができる長所がある。
【００１９】
また本考案は、耳の中に挿入される除去棒１０の先端部１２が非常に柔軟で柔らかいため、耳の中の外耳道ｌと鼓膜２などにまったく傷をつけることなく、何の痛みもなく安全に水気を取り除くことができる長所があり、特に聴覚機能を阻害する危険性がないため、乳児や子供にも安全に使用することができる長所がある。
【図面の簡単な説明】
【００２０】
【図１】本考案の斜視図である。
【図２】本考案がティッシュからなる状態を示した例示図である。
【図３】本考案が圧縮綿や圧縮パルプからなる状態を示した例示図である。
【図４】本考案の使用状態図である。
【符号の説明】
【００２１】
１０  除去棒
１１  つまみ部
１２  先端部
１００  ティッシュ
２００  接着剤
【図１】
0003109074.tif 000003
【図２】
0003109074.tif 000004
【図３】
0003109074.tif 000005
【図４】
0003109074.tif 000006